(57)【要約】【課題】簡易な構成で、目標の出力電圧を出力するまでの時間を短縮する。【解決手段】本発明のＤＣＤＣコンバータは、入力電圧を昇圧または降圧した出力電圧を出力するＤＣＤＣコンバータであって、前記出力電圧の目標電圧値を格納する第１のレジスタと、前記入力電圧の予め決められている最低電圧値よりも低い値となる、前記出力電圧の初期電圧値を格納する第２のレジスタと、前記ＤＣＤＣコンバータの起動時から一定時間が経過するまでは、前記入力電圧を降圧して前記出力電圧を前記初期電圧値にし、前記一定時間が経過した後は、前記入力電圧を昇圧または降圧して前記出力電圧を前記目標電圧値にする電圧変換部と、を有する。【選択図】図１
2010279128.tif 000002
【特許請求の範囲】
【請求項１】
入力電圧を昇圧または降圧した出力電圧を出力するＤＣＤＣコンバータであって、
前記出力電圧の目標電圧値を格納する第１のレジスタと、
前記入力電圧の予め決められている最低電圧値よりも低い値となる、前記出力電圧の初期電圧値を格納する第２のレジスタと、
前記ＤＣＤＣコンバータの起動時から一定時間が経過するまでは、前記入力電圧を降圧して前記出力電圧を前記初期電圧値にし、前記一定時間が経過した後は、前記入力電圧を昇圧または降圧して前記出力電圧を前記目標電圧値にする電圧変換部と、を有するＤＣＤＣコンバータ。
【請求項２】
前記電圧変換部は、
前記入力電圧の供給元の電源と前記出力電圧の出力端子との間に直列に接続された複数のスイッチング素子と、
前記複数のスイッチング素子と並列に接続されたコイルと、
前記複数のスイッチング素子を選択的にＯＮ／ＯＦＦして前記出力電圧を前記初期電圧値または前記目標電圧値にするプリドライバーと、を有し、
前記プリドライバーは、
前記ＤＣＤＣコンバータの起動時から前記一定時間が経過するまでは、前記電源からの入力電流が前記コイルに流れるように前記複数のスイッチング素子を選択的にＯＮ／ＯＦＦして前記出力電圧を前記初期電圧値にし、
前記一定時間が経過した後は、前記目標電圧値に応じて、前記複数のスイッチング素子を選択的にＯＮ／ＯＦＦして前記出力電圧を前記目標電圧値にする、請求項１に記載のＤＣＤＣコンバータ。
【請求項３】
前記第１または第２のレジスタと接続され、前記接続された、前記第１のレジスタに格納された前記目標電圧値、または前記第２のレジスタに格納された前記初期電圧値をＤＡ変換した基準電圧を生成するＤＡコンバータと、
前記ＤＣＤＣコンバータの起動時から前記一定時間が経過するまでは、前記第２のレジスタと前記ＤＡコンバータとを接続し、前記一定時間が経過した後は、前記第１のレジスタと前記ＤＡコンバータとを接続するスイッチ部と、
前記ＤＡコンバータにより生成された前記基準電圧と、前記ＤＣＤＣコンバータの前記出力電圧とを比較するエラーアンプと、を有し、
前記プリドライバーは、前記エラーアンプによる比較結果に基づき、前記複数のスイッチング素子を選択的にＯＮ／ＯＦＦして前記出力電圧を前記目標電圧値または前記初期電圧値にする請求項２に記載のＤＣＤＣコンバータ。
【請求項４】
前記ＤＣＤＣコンバータの起動時から経過した時間を計測し、前記一定時間が経過した場合、前記一定時間が経過したことを示す制御信号を、前記スイッチ部に出力するタイマーを有し、
前記スイッチ部は、前記タイマーから前記制御信号が出力された場合に、前記一定時間が経過したと判断する、請求項３に記載のＤＣＤＣコンバータ。
【請求項５】
入力電圧を昇圧または降圧した出力電圧を出力する電圧変換部を有するＤＣＤＣコンバータに適用される起動制御方法であって、
第１のレジスタに前記出力電圧の目標電圧値を格納する第１の格納ステップと、
第２のレジスタに前記入力電圧の予め決められている最低電圧値よりも低い値となる、前記出力電圧の初期電圧値を格納する第２の格納ステップと、
前記電圧変換部により、前記ＤＣＤＣコンバータの起動時から一定時間が経過するまでは、前記入力電圧を降圧して前記出力電圧を前記初期電圧値にし、前記一定時間が経過した後は、前記入力電圧を昇圧または降圧して前記出力電圧を前記目標電圧値にする電圧変換ステップと、を有する起動制御方法。
【請求項６】
前記電圧変換部は、
前記入力電圧の供給元の電源と前記出力電圧の出力端子との間に直列に接続された複数のスイッチング素子と、
前記複数のスイッチング素子と並列に接続されたコイルと、
前記複数のスイッチング素子を選択的にＯＮ／ＯＦＦして前記出力電圧を前記初期電圧値または前記目標電圧値にするプリドライバーと、を有し、
前記電圧変換ステップでは、
前記プリドライバーにより、前記ＤＣＤＣコンバータの起動時から前記一定時間が経過するまでは、前記電源からの入力電流が前記コイルに流れるように前記複数のスイッチング素子を選択的にＯＮ／ＯＦＦして前記出力電圧を前記初期電圧値にし、
前記一定時間が経過した後は、前記目標電圧値に応じて、前記複数のスイッチング素子を選択的にＯＮ／ＯＦＦして前記出力電圧を前記目標電圧値にする、請求項５に記載の起動制御方法。
【請求項７】
前記第１または第２のレジスタと接続され、前記接続された、前記第１のレジスタに格納された前記目標電圧値、または前記第２のレジスタに格納された前記初期電圧値をＤＡ変換した基準電圧を生成するＤＡコンバータにより前記基準電圧を生成する生成ステップと、
前記ＤＣＤＣコンバータの起動時から前記一定時間が経過するまでは、前記第２のレジスタと前記ＤＡコンバータとを接続し、前記一定時間が経過した後は、前記第１のレジスタと前記ＤＡコンバータとを接続する接続ステップと、
前記ＤＡコンバータにより生成された前記基準電圧と、前記ＤＣＤＣコンバータの前記出力電圧とを比較する比較ステップと、を有し、
前記電圧変換ステップでは、前記比較ステップによる比較結果に基づき、前記プリドライバーにより、前記複数のスイッチング素子を選択的にＯＮ／ＯＦＦして前記出力電圧を前記目標電圧値または前記初期電圧値にする請求項６に記載の起動制御方法。
【請求項８】
前記ＤＣＤＣコンバータの起動時から経過した時間を計測し、前記一定時間が経過した場合、前記一定時間が経過したことを示す制御信号を出力する計測ステップを有し、
前記接続ステップでは、前記計測ステップにより前記制御信号が出力された場合に、前記一定時間が経過したと判断する、請求項７に記載の起動制御方法。
【発明の詳細な説明】
【技術分野】
【０００１】
本発明は、入力電圧を昇圧または降圧した出力電圧を出力するＤＣＤＣコンバータおよびその起動制御方法に関する。
【背景技術】
【０００２】
近年、携帯電話装置では、バッテリーなどの電源から入力された入力電圧を昇圧または降圧して、外部から設定された目標電圧値の出力電圧を出力する昇降圧ＤＣＤＣコンバータが用いられることが多い。
【０００３】
昇降圧ＤＣＤＣコンバータを用いることにより、例えば、携帯電話装置から送信する送信信号の電力を増幅するパワーアンプ部に対して、電源から入力された入力電圧を、その送信信号の電力に合わせた電圧に昇圧または降圧して供給することができ、パワーアンプ部での発熱を回避することができる。
【０００４】
一般に、昇降圧ＤＣＤＣコンバータは、電源から入力電圧が入力される入力端子と、出力電圧を出力する出力端子と、入力端子と出力端子との間に接続されたＦＥＴ（Ｆｉｅｌｄ  Ｅｆｆｅｃｔ  Ｔｒａｎｓｉｓｔｏｒ）などの複数のスイッチング素子と、スイッチング素子をＯＮ／ＯＦＦさせるＰＷＭ（Ｐｕｌｓｅ  Ｗｉｄｔｈ  Ｍｏｄｕｌａｔｉｏｎ）波形を生成する発信器と、出力端子に一端が接続され、他端が接地された出力平滑用コンデンサと、を有している。
【０００５】
そして、昇降圧ＤＣＤＣコンバータは、生成されたＰＷＭ波形に従い、スイッチング素子をＯＮ／ＯＦＦさせることで、入力電圧を昇圧または降圧し、出力平滑用コンデンサにより出力電圧を平滑化して出力する。
【０００６】
なお、以下の説明において、昇降圧ＤＣＤＣコンバータが、入力電圧を昇圧する動作状態を昇圧モードと称し、入力電圧を降圧する動作状態を降圧モードと称する。
【０００７】
ところで、次世代無線通信規格であるＬＴＥ（Ｌｏｎｇ  Ｔｅｒｍ  Ｅｖｏｌｕｔｉｏｎ）による無線通信システムでは、携帯電話装置の信号送信は断続的に行われる。
【０００８】
従って、携帯電話装置の信号送信に合わせて昇降圧ＤＣＤＣコンバータをこまめに起動・停止させることにより、昇降圧ＤＣＤＣコンバータを常時起動させた場合と比べて、昇降圧ＤＣＤＣコンバータ内部の発信器などで生じる消費電流を抑制することができる。
【０００９】
ここで、昇降圧ＤＣＤＣコンバータの起動時には、出力平滑用コンデンサへの電荷の充電が行われる。
【００１０】
また、昇降圧ＤＣＤＣコンバータの動作を停止した後であっても、昇降圧ＤＣＤＣコンバータに接続された他のデバイスの負荷などにより、出力平滑用コンデンサに充電された電荷が流れてしまう。そのため、昇降圧ＤＣＤＣコンバータの起動時には、出力平滑用コンデンサに充電された電荷は、ほぼ空状態になっていることが多い。
【００１１】
従って、昇降圧ＤＣＤＣコンバータの起動のたびに、出力平滑用コンデンサの充電のために、電源から出力平滑用コンデンサに大きな突入電流が流れることになる。そして、突入電流のために生じる電源電圧の瞬時降下により、携帯電話装置の基板上の、同一の電源を用いている他のデバイスに対して、悪影響を与えることになる。
【００１２】
特許文献１には、ソフトスタートを行うことで、昇降圧ＤＣＤＣコンバータの起動時に流れる突入電流を低減する昇降圧ＤＣＤＣコンバータが記載されている。
【００１３】
ここで、ソフトスタートとは、起動開始時には、スイッチング素子のＯＮ／ＯＦＦの比率を示すデューティ値を小さい値とし、起動時からの時間の経過に合わせて、デューティ値を制御することで、起動時に流れる突入電流を低減して、昇降圧ＤＣＤＣコンバータを起動させることをいう。
【００１４】
特許文献１に記載の昇降圧ＤＣＤＣコンバータは、入力電圧と、デューティ値およびそのデューティ値でスイッチング素子を駆動するソフトスタート期間の長さとを対応付けたテーブルを予め記憶しておく。そして、起動時には、入力電圧に対応するデューティ値およびソフトスタート期間をテーブルから抽出し、抽出したソフトスタート期間では、小さいデューティ値でスイッチング素子のＯＮ／ＯＦＦを制御することで、平滑用コンデンサへの充電が徐々に行われるようにし、起動時に流れる突入電流を低減する。
【先行技術文献】
【特許文献】
【００１５】
【特許文献１】特開２００７−２８８９７９号公報
【発明の概要】
【発明が解決しようとする課題】
【００１６】
しかしながら、特許文献１に記載の昇降圧ＤＣＤＣコンバータは、ソフトスタートを行うために、デューティ値を制御するための特別な構成が必要となり、複雑な構成になるという課題がある。
【００１７】
また、特許文献１に記載の昇降圧ＤＣＤＣコンバータは、記憶したテーブルからの入力電圧に対応するデューティ値およびソフトスタート期間をテーブルから抽出や、デューティ値の制御などの、ソフトスタートを行うための時間が必要となり、昇降圧ＤＣＤＣコンバータの起動後、目標の出力電圧を出力するまでに時間を要するという課題がある。
【００１８】
本発明の目的は、簡易な構成で、ＤＣＤＣコンバータの起動に要する時間を短縮することができる、ＤＣＤＣコンバータおよびその起動制御方法を提供することにある。
【課題を解決するための手段】
【００１９】
上記目的を達成するために本発明のＤＣＤＣコンバータは、
入力電圧を昇圧または降圧した出力電圧を出力するＤＣＤＣコンバータであって、
前記出力電圧の目標電圧値を格納する第１のレジスタと、
前記入力電圧の予め決められている最低電圧値よりも低い値となる、前記出力電圧の初期電圧値を格納する第２のレジスタと、
前記ＤＣＤＣコンバータの起動時から一定時間が経過するまでは、前記入力電圧を降圧して前記出力電圧を前記初期電圧値にし、前記一定時間が経過した後は、前記入力電圧を昇圧または降圧して前記出力電圧を前記目標電圧値にする電圧変換部と、を有する。
【００２０】
上記目的を達成するために本発明のＤＣＤＣコンバータの起動制御方法は、
入力電圧を昇圧または降圧した出力電圧を出力する電圧変換部を有するＤＣＤＣコンバータに適用される起動制御方法であって、
第１のレジスタに前記出力電圧の目標電圧値を格納する第１の格納ステップと、
第２のレジスタに前記入力電圧の予め決められている最低電圧値よりも低い値となる、前記出力電圧の初期電圧値を格納する第２の格納ステップと、
前記電圧変換部により、前記ＤＣＤＣコンバータの起動時から一定時間が経過するまでは、前記入力電圧を降圧して前記出力電圧を前記初期電圧値にし、前記一定時間が経過した後は、前記入力電圧を昇圧または降圧して前記出力電圧を前記目標電圧値にする電圧変換ステップと、を有する。
【発明の効果】
【００２１】
本発明によれば、ＤＣＤＣコンバータは、出力電圧の目標電圧値を格納する第１のレジスタと、入力電圧の予め決められている最低電圧値よりも低い値となる、出力電圧の初期電圧値を格納する第２のレジスタと、ＤＣＤＣコンバータの起動時から一定時間が経過するまでは、入力電圧を降圧して出力電圧を初期電圧値にし、一定時間が経過した後は、入力電圧を昇圧または降圧して入力電圧を目標電圧値にする電圧変換部と、を有する。
【００２２】
そのため、ＤＣＤＣコンバータは、ソフトスタートを行うための特別な構成が不要な、簡易な構成とすることができる。
【００２３】
また、ＤＣＤＣコンバータは、起動時から一定時間が経過するまでは、入力電圧を降圧して出力電圧を初期電圧値とすることで、ＤＣＤＣコンバータの起動に要する時間を短縮することができる。
【図面の簡単な説明】
【００２４】
【図１】本発明の一実施形態の昇降圧ＤＣＤＣコンバータの構成を示すブロック図である。
【図２】図１に示す昇降圧ＤＣＤＣコンバータの動作の一例を示すフローチャートである。
【図３Ａ】図１に示す昇降圧ＤＣＤＣコンバータの起動直後の電流の流れを説明する図である。
【図３Ｂ】降圧ＤＣＤＣコンバータの起動直後の電流の流れを説明する図である。
【図４】図１に示す昇降圧ＤＣＤＣコンバータおよびソフトスタートを行う昇降圧ＤＣＤＣコンバータの、出力電圧の電圧値の時間変化のシミュレーション結果を示すグラフである。
【図５】図１に示す昇降圧ＤＣＤＣコンバータおよびソフトスタートを行う昇降圧ＤＣＤＣコンバータの、コイルに流れる電流値のシミュレーション結果を示すグラフである。
【発明を実施するための形態】
【００２５】
以下に、本発明を実施するための形態について図面を参照して説明する。
【００２６】
図１は、本実施形態の昇降圧ＤＣＤＣコンバータ１０の構成を示すブロック図である。
【００２７】
図１に示す昇降圧ＤＣＤＣコンバータ１０は、通常制御レジスタ１１と、起動時レジスタ１２と、タイマー１３と、レジスタ選択スイッチ１４と、ＤＡＣ（ＤＡコンバータ）１５と、エラーアンプ１６と、プリドライバー１７と、スイッチング素子であるＦＥＴなどのトランジスタＱ１〜Ｑ４と、コイルＬ１と、出力平滑用コンデンサＣ１と、を有する。
【００２８】
トランジスタＱ１は、ドレイン端子が、入力電圧（ＶＤＤ）の入力元の電源と接続され、ソース端子が、コイルＬ１の一端と接続される。
【００２９】
また、トランジスタＱ２は、ドレイン端子が、コイルＬ１の一端と接続され、ソース端子が、接地される。
【００３０】
また、トランジスタＱ３は、ドレイン端子が、コイルＬ１の他端と接続され、ソース端子が、接地される。
【００３１】
また、トランジスタＱ４は、ドレイン端子が、昇降圧ＤＣＤＣコンバータ１０の出力端子と接続され、ソース端子が、コイルＬ１の他端と接続される。
【００３２】
また、トランジスタＱ１〜Ｑ４のゲート端子は、プリドライバー１７と接続される。
【００３３】
出力平滑用コンデンサＣ１は、一端が昇降圧ＤＣＤＣコンバータ１０の出力端子と接続され、他端が接地される。
【００３４】
通常制御レジスタ１１は、外部から設定された、出力電圧（Ｖｏｕｔ）の目標設定値を格納する。
【００３５】
起動時レジスタ１２は、昇降圧ＤＣＤＣコンバータ１０の起動時に、降圧モードで動作するように、入力電圧（ＶＤＤ）の予め決められている最低電圧値よりも低い値となる、出力電圧（Ｖｏｕｔ）の初期電圧値を格納する。
【００３６】
タイマー１３は、昇降圧ＤＣＤＣコンバータ１０が起動を開始すると、起動信号が入力され、昇降圧ＤＣＤＣコンバータ１０の起動時からの経過時間を計測し、昇降圧ＤＣＤＣコンバータ１０の起動時から一定時間（Ｔｇ）が経過したかを判定する。
【００３７】
そしてタイマー１３は、昇降圧ＤＣＤＣコンバータ１０の起動時から一定時間（Ｔｇ）が経過したら、昇降圧ＤＣＤＣコンバータ１０の起動時から一定時間（Ｔｇ）が経過したことを示す制御信号を、レジスタ選択スイッチ１４に出力する。
【００３８】
レジスタ選択スイッチ１４は、通常制御レジスタ１１と起動時レジスタ１２とを切り替えて、ＤＡＣ１５と接続する。
【００３９】
具体的には、レジスタ選択スイッチ１４は、昇降圧ＤＣＤＣコンバータ１０が起動を開始すると、起動時レジスタ１２とＤＡＣ１５とを接続する。そして、レジスタ選択スイッチ１４は、タイマー１３から制御信号が出力されると、昇降圧ＤＣＤＣコンバータの起動時から一定時間が経過したと判断し、ＤＡＣ１５に接続するレジスタを、起動時レジスタ１２から通常制御レジスタ１１に切り替える。
【００４０】
ＤＡＣ１５は、レジスタ選択スイッチ１４を介して接続された、通常制御レジスタ１１に格納された出力電圧（Ｖｏｕｔ）の目標電圧値、または起動時レジスタ１２に格納された出力電圧（Ｖｏｕｔ）の初期電圧値をＤＡ変換した基準電圧（Ｖｒｅｆ）を生成し、生成した基準電圧（Ｖｒｅｆ）をエラーアンプ１６に出力する。
【００４１】
エラーアンプ１６は、出力電圧（Ｖｏｕｔ）をフィードバックした帰還電圧（Ｖｆｂ）と、ＤＡＣ１５から出力された基準電圧（Ｖｒｅｆ）とを比較し、比較結果をプリドライバー１７に出力する。
【００４２】
具体的には、エラーアンプ１６は、帰還電圧（Ｖｆｂ）と基準電圧（Ｖｒｅｆ）との電位差を検出し、検出した電位差をプリドライバー１７に出力する。
【００４３】
プリドライバー１７は、エラーアンプ１６から出力された帰還電圧（Ｖｆｂ）と基準電圧（Ｖｒｅｆ）との比較結果に基づき、トランジスタＱ１〜Ｑ４を選択的にＯＮ／ＯＦＦする。
【００４４】
次に、昇降圧ＤＣＤＣコンバータ１０の動作について説明する。
【００４５】
図２は、昇降圧ＤＣＤＣコンバータ１０の動作の一例を示すフローチャートである。
【００４６】
まず、昇降圧ＤＣＤＣコンバータ１０が起動を開始すると、（ステップＳ２１）、レジスタ選択スイッチ１４は、起動時レジスタ１２とＤＡＣ１５とを接続する（ステップＳ２２）。
【００４７】
起動時レジスタ１２には、昇降圧ＤＣＤＣコンバータ１０が降圧モードで動作するように、入力電圧（ＶＤＤ）の予め決められている最低電圧値よりも低い値となる出力電圧（Ｖｏｕｔ）の初期電圧値が格納されているので、起動時レジスタ１２とＤＡＣ１５とが接続されることにより、昇降圧ＤＣＤＣコンバータ１０は、降圧モードで起動する。
【００４８】
ここで上述したように、昇降圧ＤＣＤＣコンバータ１０の起動直後には、出力平滑用コンデンサＣ１を充電するために、突入電流が流れる。
【００４９】
図３Ａは、昇降圧ＤＣＤＣコンバータ１０の起動直後の電流の流れを説明する図である。
【００５０】
図３Ａに示すように、降圧モードでの昇降圧ＤＣＤＣコンバータ１０の起動直後には、プリドライバー１７は、トランジスタＱ１とＱ４をＯＮに、トランジスタＱ２とＱ３をＯＦＦにする。このとき、出力平滑用コンデンサＣ１は充電されていないため、入力電圧（ＶＤＤ）と出力平滑用コンデンサＣ１との間の電位差と、トランジスタＱ１およびＱ４のドレインとソースとの間の抵抗値であるＯＮ抵抗とにより定まる突入電流が流れる。
【００５１】
しかし、昇降圧ＤＣＤＣコンバータ１０では、トランジスタＱ１とＱ４との間にコイルＬ１が挿入されており、コイルＬ１に流れる電流の変化量に応じた逆起電力が発生する。
【００５２】
したがって、昇降圧ＤＣＤＣコンバータ１０の起動時に流れる突入電流に応じてコイルＬ１で発生した逆起電力により、突入電流を妨げる向きに誘導電流が流れ、突入電流を低減することができる。
【００５３】
図３Ｂは、降圧ＤＣＤＣコンバータの起動直後の電流の流れを説明する図である。
【００５４】
図３Ｂに示すように、降圧モードで降圧ＤＣＤＣコンバータが起動すると、プリドライバー１７は、トランジスタＱ１をＯＮに、トランジスタＱ２をＯＦＦにする。このとき、昇降圧ＤＣＤＣコンバータ１０と同様に、出力平滑用コンデンサＣ１は充電されていないため、電源からトランジスタＱ１を介して、コンデンサＣ１に突入電流が流れる。
【００５５】
そして、降圧ＤＣＤＣコンバータでは、昇降圧ＤＣＤＣコンバータ１０のように、突入電流を妨げる向きに誘導電流が流れることがないため、突入電流を低減するためには、例えば、トランジスタＱ１のＯＮ抵抗を一時的に大きくするなどの制御が必要となる。
【００５６】
このように、昇降圧ＤＣＤＣコンバータ１０を、降圧モードで起動させることでコイルＬ１に生じる逆起電力により、起動時に流れる突入電流を低減することができる。
【００５７】
なお、出力平滑用コンデンサＣ１の充電が行われ、入力電圧（ＶＤＤ）と出力平滑用コンデンサＣ１との間の電位差が小さくなり、コイルＬ１を流れる突入電流が減り始めたときや、出力電圧（Ｖｏｕｔ）が上昇し始めたときには、プリドライバー１７は、トランジスタＱ１をＯＦＦに、トランジスタＱ２をＯＮにする。このようなトランジスタＱ１およびＱ２のＯＮ／ＯＦＦを行った直後には、図３Ａとは逆向きの起電力が発生し、出力電圧（Ｖｏｕｔ）の跳ね上がりが発生する
しかし、例えば、エラーアンプ１６の応答性や、プリドライバー１７でのトランジスタＱ１〜Ｑ４のＯＮ／ＯＦＦのスイッチング周波数を、出力電圧（Ｖｏｕｔ）の変化に対して、十分に早くすることにより、出力電圧（Ｖｏｕｔ）の跳ね上がりの発生を回避することができる。
【００５８】
図２に戻り、タイマー１３は、昇降圧ＤＣＤＣコンバータ１０の起動時から経過した時間を計測し（ステップＳ２３）、一定時間（Ｔｇ）が経過したかを判定する（ステップＳ２４）。
【００５９】
なお、一定時間（Ｔｇ）は、例えば、昇降圧ＤＣＤＣコンバータ１０の降圧モードでの起動時に、出力電圧（Ｖｏｕｔ）が安定するまでに要する時間を考慮して設定される。
【００６０】
昇降圧ＤＣＤＣコンバータ１０の起動時から一定時間（Ｔｇ）が経過していない場合（ステップＳ２４：ＮＯ）、一定時間（Ｔｇ）が経過するまで、ステップＳ２４の処理を繰り返す。
【００６１】
一方、昇降圧ＤＣＤＣコンバータ１０の起動時から一定時間（Ｔｇ）が経過した場合（ステップＳ２４：ＹＥＳ）、タイマー１３は、昇降圧ＤＣＤＣコンバータ１０の起動時から一定時間（Ｔｇ）が経過したことを示す制御信号を、レジスタ選択スイッチ１４に出力する。
【００６２】
レジスタ選択スイッチ１４は、タイマー１３から制御信号が出力されると、昇降圧ＤＣＤＣコンバータ１０の起動時から一定時間（Ｔｇ）が経過したと判断し、ＤＡＣ１５に接続するレジスタを、起動時レジスタ１２から通常制御レジスタ１１に切り替える（ステップＳ２５）。
【００６３】
そして、昇降圧ＤＣＤＣコンバータ１０は、プリドライバー１７により、トランジスタＱ１〜Ｑ４をＯＮ／ＯＦＦさせて、入力電圧（ＶＤＤ）を、通常制御レジスタ１１に格納された目標電圧値の出力電圧（Ｖｏｕｔ）に昇圧または降圧する。
【００６４】
例えば、プリドライバー１７は、まず、トランジスタＱ１とＱ３とをＯＮにし、トランジスタＱ２とＱ４とをＯＦＦにする。そうすると、入力電圧（ＶＤＤ）が、コイルＬ１に印加され、コイルＬ１に流れる電流が増加することにより、コイルＬ１に起電力が発生する。
【００６５】
次いで、プリドライバー１７は、トランジスタＱ１とＱ３とをＯＦＦにし、トランジスタＱ２とＱ４とをＯＮにする。そうすると、コイルＬ１は、昇降圧ＤＣＤＣコンバータ１０の出力端子と接続されるので、コイルＬ１に発生した起電力が出力平滑用コンデンサＣ１に充電される。
【００６６】
このようにして、トランジスタＱ１〜Ｑ４のＯＮ／ＯＦＦの比率を変え、出力平滑用コンデンサＣ１に充電される電荷量を制御することで、入力電圧（ＶＤＤ）を昇圧または降圧することができる。
【００６７】
図４は、本実施形態の昇降圧ＤＣＤＣコンバータ１０およびソフトスタートを行う昇降圧ＤＣＤＣコンバータの、出力電圧（Ｖｏｕｔ）の電圧値の時間変化のシミュレーション結果を示すグラフである。
【００６８】
図４において、横軸は時間を、縦軸は出力電圧（Ｖｏｕｔ）の電圧値を示す。
【００６９】
図４に示すように、本実施形態の昇降圧ＤＣＤＣコンバータ１０は、起動時から一定時間が経過するまでは、入力電圧を降圧して出力電圧を初期電圧値とすることで、ソフトスタートを行うための時間が不要となり、ソフトスタートを行う昇降圧ＤＣＤＣコンバータと比べると、目標電圧値の出力電圧（Ｖｏｕｔ）を出力するまでの時間を短縮することができる。
【００７０】
図５は、本実施形態の昇降圧ＤＣＤＣコンバータ１０およびソフトスタートを行う昇降圧ＤＣＤＣコンバータの、コイルに流れる電流値のシミュレーション結果を示すグラフである。
【００７１】
図５において、横軸は時間を、縦軸は電流値を示す。
【００７２】
図５に示すように、本実施形態の昇降圧ＤＣＤＣコンバータ１０は、ソフトスタートを行う昇降圧ＤＣＤＣコンバータと比べると、コイルＬ１に流れる最大電流は増加している。
【００７３】
しかし、降圧モードで起動しているため、コイルＬ１に流れる最大電流を、昇降圧ＤＣＤＣコンバータ１０を昇圧モードで動作させるときに流れる突入電流と比較すると、少ない電流量に抑えることができる。
【００７４】
なお、昇降圧ＤＣＤＣコンバータを構成する各部の性能により、出力電圧（Ｖｏｕｔ）の電圧値の時間変化やコイルＬ１に流れる電流値は大きく変わるので、図４および図５では、本実施形態の昇降圧ＤＣＤＣコンバータ１０と、ソフトスタートを行う昇降圧ＤＣＤＣコンバータとの相対的な差異のみを示す。
【００７５】
このように、本実施形態によれば、昇降圧ＤＣＤＣコンバータ１０は、出力電圧（Ｖｏｕｔ）の目標電圧値を格納する通常制御レジスタ１１と、入力電圧の予め決められている最低電圧値よりも低い値となる、出力電圧（Ｖｏｕｔ）の初期電圧値を格納する起動時レジスタ１２とを有し、ＤＣＤＣコンバータ１０の起動時から一定時間が経過するまでは、入力電圧を降圧して出力電圧（Ｖｏｕｔ）を初期電圧値にし、一定時間が経過した後は、入力電圧を昇圧または降圧して前記出力電圧（Ｖｏｕｔ）を前記目標電圧値にする。
【００７６】
そのため、昇降圧ＤＣＤＣコンバータ１０は、ソフトスタートを行うための特別な構成が不要な、簡易な構成とすることができる。
【００７７】
また、昇降圧ＤＣＤＣコンバータ１０は、起動時から一定時間が経過するまでは、入力電圧を降圧して出力電圧を初期電圧値とすることで、出力電圧（Ｖｏｕｔ）を目標電圧値にするまでの時間を短縮され、昇降圧ＤＣＤＣコンバータ１０の起動に要する時間を短縮することができる。
【００７８】
また、昇降圧ＤＣＤＣコンバータ１０は、降圧モードで起動させることでコイルＬ１に生じる起電力により、起動時に流れる突入電流を低減することができる。
【００７９】
なお、本実施形態においては、昇降圧ＤＣＤＣコンバータ１０内に、起動時レジスタ１２やタイマー１３を有する例について説明したが、これに限られるものではなく、昇降圧ＤＣＤＣコンバータ１０を制御する外部デバイスを設けることも可能である。
【００８０】
この場合、外部デバイスにおいて、昇降圧ＤＣＤＣコンバータ１０の起動前に、降圧モードでの動作となる出力電圧（Ｖｏｕｔ）の初期電圧値の設定を行ったり、昇降圧ＤＣＤＣコンバータの起動時から一定時間（Ｔｇ）の経過後に、目標電圧値に設定を変更したりする制御を行うことも可能である。
【符号の説明】
【００８１】
１０    昇降圧ＤＣＤＣコンバータ
１１    通常制御レジスタ
１２    起動時レジスタ
１３    タイマー
１４    レジスタ選択スイッチ
１５    ＤＡＣ（ＤＡコンバータ）
１６    エラーアンプ
１７    プリドライバー
【図１】
2010279128.tif 000003
【図２】
2010279128.tif 000004
【図３Ａ】
2010279128.tif 000005
【図３Ｂ】
2010279128.tif 000006
【図４】
2010279128.tif 000007
【図５】
2010279128.tif 000008